(57)【特許請求の範囲】
【請求項１】
塵埃、水等を吸引する吸気発生用モーターファンを内蔵し下部に本体吸気口部およびこの本体吸気口部を開閉するフロート弁を内蔵するフロート弁動作空間とを有する本体と、前記本体下方にフィルターを介して着脱自在に取り付けられ、側面に設けられた吸気口から吸引された塵埃、水等を収納するダストボックスとからなり、前記フロート弁動作空間を、側面に前記フロート弁の動作方向に略平行で、かつ前記フィルター内にたまる泡によって塞がれる縦長状の複数の通気孔を有しかつ下方を開放した筒状壁で形成した電気掃除機。
【請求項２】
通気孔を上辺が下辺より長い略台形状とした請求項１記載の電気掃除機。
【発明の詳細な説明】
【０００１】
【産業上の利用分野】
本発明は吸水もできる電気掃除機に関するものである。
【０００２】
【従来の技術】
従来の吸水もできる電気掃除機は図７に示すようにホース（図示せず）を接続する吸気口４１を有するダストボックス４２とその上部に吸気用の電動送風機４４を内蔵する本体４５とが着脱自在にフィルター４３を介して配設される。本体４５内の電動送風機４４の下方には本体吸気口部４６が設けられ本体吸気口部４６の下方にフロート弁動作空間５３を有し前記フロート弁動作空間５３内に、ダストボックス４２内の吸水量に応じて本体吸気口部４６を開閉するフロート弁４７を内蔵している。
【０００３】
上記構成において、電気掃除機を運転すると、吸気口４１より塵埃および汚水を含んだ空気が吸入され塵埃、汚水はダストボックス４２内に溜まる。また排気はフィルター４３により濾過され塵埃を取り除かれた後排気通路を通り外部へ排気される。吸水された汚水量がダストボックス内に増加するにつれてフロート弁４７は浮力で浮き上がり所定の高さまで浮き上がると本体吸気口部４６とフロート弁４７間の吸気流の流速が増大し負圧が大きくなりフロート弁４７が本体の吸気口部４６へ吸いつけられ吸気口部が密閉されてそれ以上の吸水が防止される。
【０００４】
【発明が解決しようとする課題】
このような従来の吸水もできる電気掃除機では洗剤液等を吸入すると延長管、ホース内さらにダストボックス内で吸気と攪拌されることにより泡立ちが引き起こる。その泡がダストボックス内に溜ってフィルターを濡らしフィルター内で二次発泡を起こして泡がフイルター室内に溜っても泡は液体に対して比重が非常に小さいため本体の吸気口部に液体が吸入されることを防止するフロート弁が浮き上がることがなく作動しないため本体吸気口部から泡が吸入されさらにモーターファンに吸入されて本体外へ排気とともに吹き出してしまっていた。
【０００５】
本発明は上記課題を解決するもので、泡が本体内部に吸入されることを防止できる吸水可能な電気掃除機を提供することを目的とする。
【０００６】
【課題を解決するための手段】
本発明は上記目的を達成するため、水等を吸引する吸気発生用モーターファンを内蔵し下部に本体吸気口部およびこの本体吸気口部を開閉するフロート弁を内蔵するフロート弁動作空間とを有する本体と、前記本体下方にフィルターを介して着脱自在に取り付けられ、側面に設けられた吸気口から吸引された塵埃、水等を収納するダストボックスとからなり、前記フロート弁動作空間を、側面に前記フロート弁の動作方向に略平行で、かつ前記フィルター内にたまる泡によって塞がれる縦長状の複数の通気孔を有しかつ下方を開放した筒状壁で形成した構成としてある。
【０００７】
また請求項2記載の発明は上記通気孔を上辺が下辺より長い略台形状としたものである。
【０００８】
【作用】
本発明はダストボックス内に洗剤を含んだ汚水やその汚水から発生す
る泡が溜まり、その汚水や泡でフィルターが濡れるとフィルターから２次発泡してフィルター内に泡が溜まり始めるが、筒状壁側面の通気孔は複数の縦長状であることより、通気孔は下部から徐々に塞がれていき、本体吸気口部とフロート弁天面間の負圧が次第に大きくなり、ついにフロート弁が本体吸気口部に吸い付けられ、密閉してモーターファンへの泡の吸入を防止する。また、通気孔をフロート弁動作方向に略平行に縦長状とすることにより、フロート弁が前記筒状壁内で動作する際通気孔に引っ掛かることなく滑らかに動作する。
【０００９】
請求項２記載の発明は通気孔を縦長の略台形状として、筒状壁の下方にいくほどその開口幅が狭くなるように構成しているので、泡の水位が所定量変化したとき、筒状壁の上方にいくほど泡による閉塞面積が大きくなり、筒状壁の上方ほど泡の量の変化に対する本体吸気口部とフロート弁天面間の負圧の変化が大きくなる。
【００１０】
【実施例】
以下、本発明の一実施例について図１を参照しながら説明する。
【００１１】
ダストボックス１と本体２５とはフィルター５を介して着脱自在に取り付けられる。ダストボックス１は、側面上方に吸気口２と吸気口２の内側上部に断面略Ｌ字状で吸気口２と相対する面をダストボックス１の側壁面と略平行に湾曲させかつその側方と下方を開放した吸気ガイド３を備える。また本体２５には、モーターファン１１を有しまたその下部に本体吸気口部６を備えている。さらにダストボックス１上に本体２５を配設したとき本体２５下方に本体吸気口部６を中心に放射状にリブ７が設けられる。前記リブ７の中心部にはフロート弁８を収納、かつ動作するフロート弁動作空間３４を設け前記フロート弁動作空間３４を取り囲むように多数の通気孔３３を設けた筒状壁９を備える。さらに本体２５には本体隔壁１０にモーターファン１１の位置決め、支持用の筒状壁１２を設けさらに前記モーターファン１１の排気口周囲を囲うように衝突壁１３とダストボックス１に通ずる排水孔１５が設けられる。さらに、排気通路２０には途中に庇１７また堰２１を設けている。
【００１２】
ダストボックス１の吸気口２から吸入された塵埃・汚水等は吸気ガイド３により直接フィルター５にあたらず水平方向あるいは下方方向に均一に拡散された後ダストボックス１に吸入される。これにより発泡しやすい洗剤液などが吸入されてもフィルター５に直接あたらず均一に拡散されることにより流速が落とされまた吸気ガイド３によりダストボックス１底部に導かれ発泡が抑制される。その結果フィルター５の濡れることが抑制されフィルター５内での二次発泡が抑えられる。さらに吸水が進むと吸気口２から吸入された洗剤液がダストボックス１に溜まりフィルター５に到達してフィルター５を濡らすと、フィルター５内で二次発泡が起こりフィルター５内に泡が溜りだす。前記泡が前記筒状壁９の通気孔３３を塞ぐようになるとフロート弁８上方の風速が増大して負圧が増すためフロート弁８が本体２５の本体吸気口部６に吸いつけられ本体吸気口部６を密閉し本体２５の本体吸気口部６からの泡の吸入を防止できる。
【００１３】
ここで、図２に示すように筒状壁９の通気孔３３をフロート弁動作方向に平行に縦長状とするとフロート弁８が前記筒状壁９内で動作する際通気孔３３に咬止されることなく効率よく動作する。
【００１４】
また図３に示すように通気孔３３が筒状壁９の下部になるほど狭まった略台形縦長状とした構成をとると、泡の水位が所定量上がったとき、泡により筒状壁９下部の通気孔３３が閉塞されるときよりも筒状壁９上部の通気孔３３が閉塞されるとき程閉塞される面積が大きくフロート弁８上部の負圧発生の効果が大きくなる。泡は筒状壁９の下部から溜ってくるので泡の量が増加するほど負圧の発生効果が大きくなりフロート弁８の動作感度を調整でき得る。
【００１５】
また、通気孔３３を断面的にフロート弁動作空間３４の中心方向に対向しない構造例えば図４に示すように断面的に接線方向に傾斜した構造とすると筒状壁９内で空気流が流れ方向を制御され、吸気が衝突しあうことなく筒状壁９内に流入することによりフロート弁８上部で負圧の発生が効果的に行なわれ、本体吸気口部６の開閉感度がさらに良くなる。
【００１６】
また、モーターファン１１の排気により強制排水を行なうときフロート弁８を強制的に閉じる必要があるがフロート弁８を閉じるとき図６に示すように排気を還流させてフロート弁８の下部の排気還流口３６から送りフロート８弁を持ち上げる構造をとるが、図５に示すように筒状壁９の下部に通気孔３３の設けない構造をとることにより通気孔３３から還流排気が逃げることがなくなり効果的にフロート弁８を操作できる。本体吸気口部６を通過した空気は排気通路２０を通り外部に排出されるが、モーターファン１１からの排気が衝突壁１３に衝突することにより排気中に仮に泡や液体が含まれている場合はその泡や液体は空気と慣性分離され前記衝突壁に沿い下方へ流下する。流下した泡や液体はダストボックス１内の負圧により排水孔１５を通ってダストボックス１内へ吸い込まれる。さらに庇１７や堰２１によっても排気中の泡や液体は慣性分離される。この結果排気中の泡や液体はほとんどが分離されて排気口から排出される。
【００１７】
【発明の効果】
以上の説明から明らかなように、本発明によるとフロート弁動作空間を筒状壁で形成し、当該フロート弁動作空間を囲んでいる筒状壁側面の通気孔が複数の縦長状の通気孔であるため、前記通気孔は下部から徐々に塞がれていき、本体吸気口部とフロート弁天面間の負圧が次第に大きくなり、ついにフロート弁が本体吸気口部に吸い付けられ、前記本体吸気口部を密閉してモーターファンへの泡の吸入を防止できる。またフロート弁動作空間を囲う筒状壁側面の通気孔をフロート弁動作方向に略平行に縦長状としたことによりフロート弁の動作時に通気孔に引っ掛かることのない滑らかな動作を確保でき、フロート弁誤動作を確実に防止できる。また請求項２記載の発明によると筒状壁側面の通気孔を上辺が下辺より長い略台形状としたため、泡の量の変化に対するフロート弁の動作感度が上方に行くほど高くなり、したがってダストボックス内の泡の量が多くなるほどフロート弁の動作感度を高くすることができ、モーターファンへの泡の吸込み防止がより確実に行えるという効果を得る。
【図面の簡単な説明】
【図１】本発明の一実施例を示す電気掃除機の概略断面図
【図２】同電気掃除機の筒状壁の外観図
【図３】他の例を示す筒状壁の外観図
【図４】他の例を示す筒状壁の断面図
【図５】他の例を示す筒状壁の外観図
【図６】同筒状壁の部分断面図
【図７】従来例の電気掃除機の概略断面図
【符号の説明】
１  ダストボックス
２  吸気口
３  吸気ガイド
５  フィルター
６  本体吸気口部
８  フロート弁
９  筒状壁
１１  モーターファン
１３  衝突壁
１５  排水孔
１７  庇
２０  排気通路
２１  堰
２５  本体
２７  排気通路
３３  通気孔
３４  フロート弁動作空間
３６  排気還流口
【図１】
0003677300.tif 000002
【図２】
0003677300.tif 000003
【図３】
0003677300.tif 000004
【図４】
0003677300.tif 000005
【図５】
0003677300.tif 000006
【図６】
0003677300.tif 000007
【図７】
0003677300.tif 000008